(57)【要約】      （修正有）【課題】実銃の引き金を引く音と振動を再現し、かつトリガーストロークを感じさせてリアル感を達成するとともに各種電動式遊戯銃に広く応用できる引き金構造を提供する。【解決手段】一方の側にガイド溝を形成した引き金支持座と、引き金支持座の一方の側に回動自在に設けた引き金構造部２と、引き金支持座に内設し、かつ一方の側に引き金支持座のガイド溝に沿って作動するガイドローラ３１１を設けてなり、引き金構造部と連結して作動する係合部３と、引き金支持座に設け、かつ係合部に連動して作動するラッチ部材４と、引き金支持座に設け、かつラッチ部材に歯合して作動し、引き金構造部の作動を拡張する歯車支持部５と、歯車支持部に設け、かつ歯車支持部に連動して作動する少なくとも１以上の撃鉄板と、一端を引き金支持座に接続し、他端を撃鉄板に接続する少なくとも１以上の撃鉄バネと、を含んでなる。【選択図】図４Ａ
0003196464.tif 000002
【実用新案登録請求の範囲】
【請求項１】
一方の側にガイド溝を形成した引き金支持座と、
該引き金支持座の一方の側に回動自在に設けた引き金構造部と、
該引き金支持座に内設し、かつ一方の側に該引き金支持座のガイド溝に沿って作動するガイドローラを設けてなり、該引き金構造部と連結して作動する係合部と、
該引き金支持座に設け、かつ該係合部に連動して作動するラッチ部材と、
該引き金支持座に設け、かつ該ラッチ部材に歯合して作動し、該引き金構造部の作動を拡張する歯車支持部と、  
該歯車支持部に設け、かつ該歯車支持部に連動して作動する少なくとも１以上の撃鉄板と、
一端を該引き金支持座に接続し、他端を該撃鉄板に接続する少なくとも１以上の撃鉄バネと、を含んでなることを特徴とする電動式遊戯銃の引き金構造。
【請求項２】
前記引き金構造部の一端を指で操作するトリガー部とし、他端を該係合部に回動自在に接続する連動部とし、かつ該引き金構造部の該引き金支持と回動自在に接続する位置が該トリガー部と該連動部の間であることを特徴とする請求項１に記載の電動式遊戯銃の引き金構造。
【請求項３】
前記引き金支持座の下端に弾性部を形成し、かつ該引き金構造部の該トリガー部と該連動部との間を、該弾性部に押し圧されて該引き金構造部の位置を本来の位置に復帰させる押し圧部とすることを特徴とする請求項２に記載の電動式遊戯銃の引き金構造。
【請求項４】
前記トリガー部には少なくとも１以上のスイッチ押し圧桿を回動自在に設け、かつ該歯車支持部に該スイッチ押し圧桿に連動して作動する少なくとも１以上の支持アームを設けるとともに、該スイッチ押し圧桿の一端の該支持アームに対応する位置には曲面を呈する伝導部を形成し、
該スイッチ押し圧桿の一方の側には、該スイッチ押し圧桿が選択的に接触して弾丸の発射を行う少なくとも１以上の発射装置を設け、
該スイッチ押し圧桿と該トリガー部との間には、両端がそれぞれ該スイッチ押し圧桿と該トリガー部とに接触して該スイッチ押し圧桿の位置を復帰させる弾性体を設け、
該歯車支持部が、該支持アームを具え、かつ該撃鉄板を設ける支軸と、該ラッチ部材に歯合して連動する歯車とを含むことを特徴とする請求項２に記載の電動式遊戯銃の引き金構造。
【請求項５】
前記係合部が、該ガイドローラを具える係合部材と、該係合部材の位置を復帰させる係合弾性部材とを含んでなり、かつ該係合部材が該ラッチ部材と該引き金構造とに連動して作動することを特徴とする請求項１に記載の電動式遊戯銃の引き金構造。
【考案の詳細な説明】
【技術分野】
【０００１】
この考案は、引き金を引く音、振動が発生し、かつトリガーストロークを有するなど、よりリアルな感覚を実現する電動式遊戯銃の引き金構造に関する。
【背景技術】
【０００２】
電動式遊戯銃は、市場のニーズとして一層のリアル感が求められていて、単純に弾丸を発射するだけでは消費者の要求を満足させることができなくなってきた。従来の電動式遊戯銃は、引き金を引くと直接モータを駆動して弾丸が発射される。但し、例えば、実銃において引き金を引き、撃鉄を連動させて撃発するという動作において発生する引き金を引く音、振動、もしくはトリガーストロークなどは、従来の電動式遊戯銃では達成できない。即ち、リアル感に欠ける。
【考案の概要】
【考案が解決しようとする課題】
【０００３】
この考案は、実銃における引き金を引く音と振動を再現し、かつトリガーストロークを感じることによってリアル感を達成する電動式遊戯銃の引き金構造を提供することを課題とする。
【０００４】
また、この考案は体積を縮小することによって、各種電動式遊戯銃に広く応用できる電動式遊銃の引き金構造を提供することを課題とする。
【課題を解決するための手段】
【０００５】
そこで、本考案者は  に見られる欠点に鑑み鋭意研究を重ねた結果、
一方の側にガイド溝を形成した引き金支持座と、該引き金支持座の一方の側に回動自在に設けた引き金構造部と、該引き金支持座に内設し、かつ一方の側に該引き金支持座のガイド溝に沿って作動するガイドローラを設けてなり、該引き金構造部と連結して作動する係合部と、該引き金支持座に設け、かつ該係合部に連動して作動するラッチ部材と、該引き金支持座に設け、かつ該ラッチ部材に歯合して作動し、該引き金構造部の作動を拡張する歯車支持部と、該歯車支持部に設け、かつ該歯車支持部に連動して作動する少なくとも１以上の撃鉄板と、一端を該引き金支持座に接続し、他端を該撃鉄板に接続する少なくとも１以上の撃鉄バネと、を含んでなる電動式遊戯銃の引き金構造によって課題を解決でできる点に着眼し、係る知見に基づいて本考案を完成させた。
【０００６】
以下この考案について説明する。請求項１に記載する電動式遊戯銃の引き金構造は、一方の側にガイド溝を形成した引き金支持座と、該引き金支持座の一方の側に回動自在に設けた引き金構造部と、該引き金支持座に内設し、かつ一方の側に該引き金支持座のガイド溝に沿って作動するガイドローラを設けてなり、該引き金構造部と連結して作動する係合部と、該引き金支持座に設け、かつ該係合部に連動して作動するラッチ部材と、該引き金支持座に設け、かつ該ラッチ部材に歯合して作動し、該引き金構造部の作動を拡張する歯車支持部と、該歯車支持部に設け、かつ該歯車支持部に連動して作動する少なくとも１以上の撃鉄板と、一端を該引き金支持座に接続し、他端を該撃鉄板に接続する少なくとも１以上の撃鉄バネと、を含んでなる。
【０００７】
請求項２に記載する電動式遊戯銃の引き金構造は、請求項１における引き金構造部の一端を指で操作するトリガー部とし、他端を該係合部に回動自在に接続する連動部とし、かつ該引き金構造部の該引き金支持と回動自在に接続する位置が該トリガー部と該連動部の間である。
【０００８】
請求項３記載する電動式遊戯銃の引き金構造は、請求項２における引き金支持座の下端に弾性部を形成し、かつ該引き金構造部の該トリガー部と該連動部との間を、該弾性部に押し圧されて該引き金構造部の位置を本来の位置に復帰させる押し圧部とする。
【０００９】
請求項４に記載する電動式遊戯銃の引き金構造は、請求項２におけるトリガー部には少なくとも１以上のスイッチ押し圧桿を回動自在に設け、かつ該歯車支持部に該スイッチ押し圧桿に連動して作動する少なくとも１以上の支持アームを設けるとともに、該スイッチ押し圧桿の一端の該支持アームに対応する位置には曲面を呈する伝導部を形成し、
該スイッチ押し圧桿の一方の側には、該スイッチ押し圧桿が選択的に接触して弾丸の発射を行う少なくとも１以上の発射装置を設け、
該スイッチ押し圧桿と該トリガー部との間には、両端がそれぞれ該スイッチ押し圧桿と該トリガー部とに接触して該スイッチ押し圧桿の位置を復帰させる弾性体を設け、
該歯車支持部が、該支持アームを具え、かつ該撃鉄板を設ける支軸と、該ラッチ部材に歯合して連動する歯車とを含む。
【００１０】
請求項５に記載する電動式遊戯銃の引き金構造は、請求項１における係合部が、該ガイドローラを具える係合部材と、該係合部材の位置を復帰させる係合弾性部材とを含んでなり、かつ該係合部材が該ラッチ部材と該引き金構造とに連動して作動する。
【図面の簡単な説明】
【００１１】
【図１】この考案による電動式遊戯銃の引き金構造の斜視図である。
【図２】図１に開示する電動式遊戯銃の引き金構造の一部構造を示した説明図である。
【図３】図１に開示する電動式遊戯銃の引き金構造の内部構造を示した説明図である。
【図４Ａ】図１に開示する電動式遊戯銃の引き金構造の一部構造を示した他の説明図である。
【図４Ｂ】図１に開示する電動式遊戯銃の引き金構造の内部構造を示した他の説明図である。
【図５】図１に開示する電動式遊戯銃の引き金構造の動作を示した説明図である。
【図６】図１に開示する電動式遊戯銃の引き金構造の動作を示した他の説明図である。
【図７】図１に開示する電動式遊戯銃の引き金構造の動作を示したその他の説明図である。
【図８】図１に開示する電動式遊戯銃の引き金構造の動作を示した別の説明図である。
【図９】この考案における撃鉄板と撃鉄バネの動作を示した説明図である。
【図１０】この考案におけるガイドローラのガイド溝における動作を示した説明図である。
【図１１】この考案における撃鉄板の叩打の動作を示した説明図である。
【図１２】この考案における撃鉄板の叩打の動作を示した他の説明図である。
【考案を実施するための形態】
【００１２】
この考案は、実銃における引き金を引く音と振動を再現し、かつトリガーストロークを感じさせてリアル感を達成するとともに各種電動式遊戯銃に広く応用できる電動式遊銃の引き金構造を提供するものであって、一方の側にガイド溝を形成した引き金支持座と、該引き金支持座の一方の側に回動自在に設けた引き金構造部と、該引き金支持座に内設し、かつ一方の側に該引き金支持座のガイド溝に沿って作動するガイドローラを設けてなり、該引き金構造部と連結して作動する係合部と、該引き金支持座に設け、かつ該係合部に連動して作動するラッチ部材と、該引き金支持座に設け、かつ該ラッチ部材に歯合して作動し、該引き金構造部の作動を拡張する歯車支持部と、該歯車支持部に設け、かつ該歯車支持部に連動して作動する少なくとも１以上の撃鉄板と、一端を該引き金支持座に接続し、他端を該撃鉄板に接続する少なくとも１以上の撃鉄バネと、を含んでなる。係る電動式遊戯銃の引き金構造の構成と特徴を説明するために、具体的な実施例を挙げ、図面を参照にして以下に詳述する。
【実施例】
【００１３】
図１から図４Ｂに開示するように、引き金支持座１と、引き金構造部２と、係合部３と、ラッチ部材４と、歯車支持部５と、少なくとも１以上の撃鉄板６１と、少なくとも１以上の撃鉄バネ６２とを含んでなる。
【００１４】
引き金支持座１一方の側にガイド溝１１を形成し、かつ下端に弾性部１２を形成する。
【００１５】
引き金構造部２は引き金支持座１の一方の側に回動自在に設け、一端を指で操作するトリガー部２１とするとともに、他端を係合部３と回動自在に接続する連動部２２とする。さらに、引き金構造部２は引き金支持１と回動自在に接続する位置は、トリガー部２１と連動部２２との間とし、かつトリガー部２１と連動部２２との間を押し圧部２３とする。押し圧部２３は引き金支持座１の弾性部１２と接触して弾力を受け、引き金構造部２の位置を本来の位置に復帰させる。
【００１６】
係合部３は、引き金支持座１に内設し、連動部２２及びラッチ部材４と連動して作動する係合部材３１と、係合部材３１の位置を復帰させる係合弾性部材３２とを含んでなり、係合部材３１の一方の側には引き金支持座１のガイド溝１１に沿って作動するガイドローラ３１１を設ける。ガイドローラ３１１を設けることで、摩擦による抵抗力が減少して移動が滑らかになる。
【００１７】
ラッチ部材４は、引き金支持座１に設け、ガイドローラ３１１の作用によって係合部３と連動して作動する。
【００１８】
歯車支持部５は、支軸５１と、支軸５１に嵌設され、かつラッチ部材４に歯合して連動する歯車５２とを含んでなり、引き金支持座１に設け、ラッチ部材４に歯合して連動し、引き金構造部２の作動を拡張する。
【００１９】
撃鉄板６１は支軸５１に嵌設し、かつ支軸６１に連動して作動する。撃鉄バネ６２は、一端を引き金支持座１に接続し、他端を撃鉄板６１に接続する。よって、撃鉄板６１は引き金構造部２と連動して動力を蓄え、又は叩く動作を行い、引き金支持座１に引き金を引く音と振動とを発生させる。
【００２０】
また、支軸５１には少なくとも１以上の支持アーム５１１を設け、引き金構造部２のトリガー部２１には少なくとも１以上のスイッチ押し圧桿７を回動自在に設ける。スイッチ押し圧桿７の一端の支持アーム５１１に対応する位置には曲面を呈する伝導部７１を形成し、かつスイッチ押し圧桿７とトリガー部２１との間には、両端がそれぞれスイッチ押し圧桿７とトリガー部２１とに接触してスイッチ押し圧桿７の位置を復帰させる弾性体８を設ける。スイッチ押し圧桿７の一方の側には少なくとも１以上の発射装置９を設け、スイッチ押し圧桿７が選択的に発射装置９に接触して弾丸の発射を行う。
【００２１】
図５から図９に開示するように、引き金構造部２のトリガー部２１を所定の角度まで引くと、連動部２２を介して係合部３が連動し、ラッチ部材４を作動させ、かつラッチ部材３に歯合する歯車支持部５が回転し、ガイドローラ１１がガイド溝１１に沿って移動する。同時に、支軸５１を介して撃鉄板６１が回転し、撃鉄バネ６２に負荷が加えられて動力が蓄積される。
【００２２】
上述するラッチ部材３が歯車支持部５を回転させる動作は、ラッチ部材４と歯車５２との歯車比によってトリガー部２１が引かれて回転する角度を拡張する。例えば、トリガー部２を引く角度が０度から１７度とすると、歯車支持部５の回転する角度は０度から５３度まで拡張することができる。以下は弾丸を発射するためにトリガー部材２を引く角度を１７度として説明する。
【００２３】
図１０から図１１に開示するように、トリガー部２を引く角度が１６度を超えると、ガイドローラ３１１はガイド溝１１に沿って移動し、上限に至る。この場合ガイドローラ３１１はガイド溝１１に沿って回転するため、摩擦による抵抗が減少し、滑らかに移動することができる。
【００２４】
ガイドローラ３１１が移動して上限に至ると、ラッチ部材４の歯合が開放され、撃鉄バネ６２（図１１、１２においては遮蔽されている）が蓄積した動力を開放する。このため歯車支持部５と撃鉄板６１が反転し、撃鉄板６１が引き金支持座１を叩打し、音と振動が発生する。この場合、撃鉄板６１は回転運動するため直線的なストロークを必要とせずに叩打し、音と振動させることができる。したがって。体積の縮小が可能であって、各種の電動式遊戯銃に対して、自由に応用することができる。
【００２５】
図１２に開示するように、トリガー部２を引く角度が１６度を超えると、歯車支持部５が反転すると同時に、支持アーム５１１が伝導部７１に接触し、スイッチ押し圧桿７が移動して発射装置９に接触し、弾丸の発射を行う。
【００２６】
また、トリガー部２を引く角度が１６度を越えない場合、ガイドローラ３１１がラッチ部材４の歯合を開放しない。このため叩打による音と振動は発生しなく、弾丸は発射されない。このため。トリガー部２を引いて撃鉄板６１が引き金支持座１を叩打するまでのトリガーストロークを感じることができる。
【００２７】
弾丸を発射すると、撃鉄バネ６２は撃鉄板６１と歯車支持部５とを本来の位置に復帰させ、かつ弾性体８がスイッチ押し圧桿７を移動させて本来の位置に復帰させる。また、トリガー部２に対する負荷を開放すると弾性部１２がトリガー部２と係合部３とを本来の位置に復帰させ、かつ係合部材３１は、係合弾性部材３２の付勢力と、及びガイドローラ３１１とガイド溝１１との作用によってガイドされて本来の位置に復帰する。同時に、ガイドローラ３１１とラッチ部材４が再度連結し、次のトリガー部２を引く動作を待つ状態になる。
【符号の説明】
【００２８】
１           引き金支持部
１１         ガイド溝
１２         弾性部
２           引き金構造部
２１         トリガー部
２２         連動部
２３         押し圧部
３           係合部
３１         係合部材
３１１       ガイドローラ
３２         弾性部材
４           ラッチ部材
５           歯車支持部
５１         支軸
５１１       支持アーム
５２         歯車
６１         撃鉄板
６２         撃鉄バネ
７           スイッチ押し圧桿
７１         伝導部
８           弾性体
９           発射装置
【図１】
0003196464.tif 000003
【図２】
0003196464.tif 000004
【図３】
0003196464.tif 000005
【図４Ａ】
0003196464.tif 000006
【図４Ｂ】
0003196464.tif 000007
【図５】
0003196464.tif 000008
【図６】
0003196464.tif 000009
【図７】
0003196464.tif 000010
【図８】
0003196464.tif 000011
【図９】
0003196464.tif 000012
【図１０】
0003196464.tif 000013
【図１１】
0003196464.tif 000014
【図１２】
0003196464.tif 000015